(57)【特許請求の範囲】
【請求項１】
第１の移動局装置に参照信号を生成するパラメータ群を通知する制御局装置であって、
ＲＲＣ層で、参照信号を生成するパラメータ群を複数具備するパラメータセットを構成し、
物理層でそのうち１つのパラメータ群を選択して移動局装置に通知することを特徴とする制御局装置。
【請求項２】
前記パラメータセットは、参照信号の系列番号とサイクリックシフトホッピングパターンをそれぞれ構成する複数のパラメータ群から構成され、前記第１の移動局装置と異なる第２の移動局装置と同じ参照信号を生成するパラメータ群を含むことを特徴とする請求項１記載の制御局装置。
【請求項３】
前記パラメータセットは、前記第２の移動局装置と同じサイクリックシフトホッピングパターンを設定する初期値を含み、レガシーの移動局装置と同時に通信が発生した場合にはそれを前記第１の移動局装置に通知することを特徴とする請求項２記載の制御装置。
【請求項４】
前記パラメータセットは、協調する複数の送受信ポイントで同一の参照信号とサイクリックシフトホッピングパターンを生成するパラメータを含むことを特徴とする請求項１記載の制御局装置。
【請求項５】
前記パラメータセットは、複数の系列番号を決定するパラメータ群のみから構成され、参照信号の系列番号を決定するヴァーチャルセルＩＤでサイクリックシフトホッピングパターンを決定することを特徴とする請求項１記載の制御局装置。
【請求項６】
前記パラメータセットは、第２の移動局装置と同じ参照信号の系列番号を設定するパラメータ群を含むことを特徴とする請求項５記載の制御局装置。
【請求項７】
制御局装置と移動局装置を有する無線通信システムであって、
前記制御局装置は、
第１の移動局装置に参照信号を生成するパラメータ群を通知する制御局装置であって、
ＲＲＣ層で、参照信号を生成するパラメータ群を複数具備するパラメータセットを構成し、
物理層でそのうち１つのパラメータ群を選択して第１の移動局装置に通知し、
前記移動局装置は、
前記第１の移動局装置と、
前記第１の移動局装置と異なる第２の移動局装置とを含み、
前記パラメータセットは、参照信号の系列番号とサイクリックシフトホッピングパターンをそれぞれ構成する複数のパラメータ群から構成され、前記第１の移動局装置と異なる第２の移動局装置と同じ参照信号を生成するパラメータ群であることを特徴とする無線通信システム。
【請求項８】
第１の移動局装置に参照信号を生成するパラメータ群を通知する制御局装置における制御方法であって、
ＲＲＣ層で、参照信号を生成するパラメータ群を複数具備するパラメータセットを構成し、
物理層でそのうち１つのパラメータ群を選択して移動局装置に通知するステップを有することを特徴とする制御方法。
【請求項９】
請求項８に記載の制御方法をコンピュータに実行させるためのプログラム。
【発明の詳細な説明】
【技術分野】
【０００１】
本発明は、制御局装置、無線通信システム、割り当て方法およびプログラムに関する。
【背景技術】
【０００２】
標準化団体の１つである３ＧＰＰ（The Third Generation Partnership Project）では、第４世代の移動通信システムの１つである３ＧＰＰ  ＬＴＥ（Long Term Evolution）  Ｒｅｌ−１０（これ以降のシステムはＬＴＥ−Ａ（LTE Advanced）と称されることもある。）の標準化がほぼ完了し、現在、それを拡張したＬＴＥ  Ｒｅｌ−１１の標準化が行われている。
【０００３】
ＬＴＥ  Ｒｅｌ−１１の上りリンク（移動局装置（ＵＥ：Ｕｓｅｒ  Ｅｑｕｉｐｍｅｎｔ）から基地局装置への通信）では、現在比較的広範囲をカバーするマクロ基地局（ｅＮＢ：enhanced Node B）と、マクロ基地局がカバーするエリア（マクロエリアとも称される）内で狭範囲をカバーするＬＰＮ（Low power node、ＲＲＨ：Radio Remote Head）などとを設置するヘテロジーニアスネットワークが検討されている。
【０００４】
ヘテロジーニアスネットワークにおいては、それぞれが別々の基地局として制御を行うことで得られるセルスプリッティングゲインだけでなく、協調することでマクロ基地局とＬＰＮ間もしくはＬＰＮとＬＰＮ間の干渉の影響を低減することができる。このような技術をＣｏＭＰ（Coordinated Multi-Point transmission and reception）と呼び、様々な検討が行われている。
【０００５】
さらに、上下リンクで異なるカバレッジをサポートすることも検討されており、これらを同時に実現するために移動局装置固有の参照信号パラメータを用いることが検討されている（非特許文献１）。
【先行技術文献】
【非特許文献】
【０００６】
【非特許文献１】３ＧＰＰ  Ｒ１−１２０８８２
【発明の概要】
【発明が解決しようとする課題】
【０００７】
しかしながら、非特許文献１では、移動局装置固有の参照信号の系列を独立に設定することに触れられているが具体的な方法が書かれておらず、非特許文献１のみで実際に構成する方法は難しいという問題がある。
【０００８】
本発明は、このような事情に鑑みてなされたもので、その目的は、移動局装置固有の参照信号を構成する手段を提供する。
【課題を解決するための手段】
【０００９】
本発明の一観点によれば、第１の移動局装置に参照信号を生成するパラメータ群を通知する制御局装置であって、ＲＲＣ層で、参照信号を生成するパラメータ群を複数具備するパラメータセットを構成し、物理層でそのうち１つのパラメータ群を選択して移動局装置に通知することを特徴とする制御局装置が提供される。
【００１０】
前記パラメータセットは、参照信号の系列番号とサイクリックシフトホッピングパターンをそれぞれ構成する複数のパラメータ群から構成され、前記第１の移動局装置と異なる第２の移動局装置と同じ参照信号を生成するパラメータ群を含むことが好ましい。
【００１１】
前記パラメータセットは、前記第２の移動局装置と同じサイクリックシフトホッピングパターンを設定する初期値を含み、レガシー（旧来）の移動局装置と同時に通信が発生した場合にはそれを前記第１の移動局装置に通知することが好ましい。
【００１２】
前記パラメータセットは、協調する複数の送受信ポイントで同一の参照信号とサイクリックシフトホッピングパターンを生成するパラメータを含むことが好ましい。
【００１３】
前記パラメータセットは、複数の系列番号を決定するパラメータ群のみから構成され、参照信号の系列番号を決定するヴァーチャルセルＩＤでサイクリックシフトホッピングパターンを決定することが好ましい。
【００１４】
前記パラメータセットは、第２の移動局装置と同じ参照信号の系列番号を設定するパラメータ群を含むことが好ましい。
【００１５】
また、本発明は、制御局装置と移動局装置を有する無線通信システムであって、前記制御局装置は、第１の移動局装置に参照信号を生成するパラメータ群を通知する制御局装置であって、ＲＲＣ層で、参照信号を生成するパラメータ群を複数具備するパラメータセットを構成し、物理層でそのうち１つのパラメータ群を選択して第１の移動局装置に通知し、前記移動局装置は、前記第１の移動局装置と、前記第１の移動局装置と異なる第２の移動局装置とを含み、前記パラメータセットは、参照信号の系列番号とサイクリックシフトホッピングパターンをそれぞれ構成する複数のパラメータ群から構成され、前記第１の移動局装置と異なる第２の移動局装置と同じ参照信号を生成するパラメータ群であることを特徴とする無線通信システムである。
【００１６】
本発明の他の観点によれば、第１の移動局装置に参照信号を生成するパラメータ群を通知する制御局装置における制御方法であって、ＲＲＣ層で、参照信号を生成するパラメータ群を複数具備するパラメータセットを構成し、物理層でそのうち１つのパラメータ群を選択して移動局装置に通知するステップを有することを特徴とする制御方法が提供される。
【００１７】
本発明は、上記制御方法をコンピュータに実行させるためのプログラムであっても良く、当該プログラムを記録するコンピュータ読み取り可能な記憶媒体であっても良い。
【図面の簡単な説明】
【００１８】
【図１】本発明の大の実施形態における移動局装置の一構成例を示す機能ブロック図である。
【図２】移動局装置のリソースの最小単位であるサブフレームを示す図である。
【図３】基地局装置の構成例を示す機能ブロック図である。
【発明を実施するための形態】
【００１９】
［第１の実施形態］
以下、図面を参照しながら、本発明の第１の実施形態について説明する。図１は、本実施形態における移動局装置の一構成例を示す機能ブロック図である。移動局装置Ａは、アンテナ１０で受信された制御情報は無線部１１によりＡ／Ｄ（Analog to Digital）変換、ダウンコンバージョンなどの無線信号をベースバンド信号に変換する処理が行われ、制御情報検出部１２により制御情報が検出される。検出された制御情報は、割当情報検出部１３に入力され周波数リソースの割当周波数位置が検出され、周波数割当部５へ入力される。次に、参照信号系列情報検出部１４において参照信号を生成するために必要な情報が検出され、この情報が参照信号生成部１６に入力され、参照信号生成部１６で参照信号が生成される。また、ＭＣＳ情報検出部１５では、変調方式と符号化率の情報を示すＭＣＳ（Modulation and Coding Schemes）が検出され、符号部１及び変調部２に入力される。
【００２０】
符号部１では、通知された符号化率に基づいて誤り訂正符号化を行い、変調部２においてＱＰＳＫ（Quaternary Phase Shift Keying）や１６ＱＡＭ（Quadrature Amplitude Modulation）などの変調が行われ、ＤＦＴ部３において離散フーリエ変換（ＤＦＴ：Discrete Fourier Transform）により時間周波数変換が行われる。次に、参照信号多重部４において参照信号生成部１６で生成された復調用参照信号（ＤＭＲＳ：DeModulation Reference Signal）が多重され、周波数割当部５に入力される。周波数割当部５では、割当情報に基づいて周波数領域で送信信号が割り当てられ、ＩＦＦＴ部６において逆高速フーリエ変換（ＩＦＦＴ：Inverse Fast Fourier Transform）を用いて時間信号に変換し、ＣＰ挿入部７において時間波形の後方を前方にコピーする処理であるサイクリックプレフィックス（ＣＰ：Cyclic Prefix）の挿入が行われ、無線部８によりＤ／Ａ変換やアップコンバージョンなどの無線信号にする処理が行われ、アンテナ９から送信される。
【００２１】
次に、本発明の特徴を表す参照信号系列情報検出部１４と参照信号生成部１６について説明する。本実施形態では、３ＧＰＰ  ＬＴＥ  Ｒｅｌ−１１システムにおけるデータチャネルであるＰＵＳＣＨ（Physical Uplink Shared Channel）を例に説明する。図２に、移動局装置のリソースの最小単位であるサブフレームを示す。１ｍｓｅｃからなるサブフレームは、１４シンボルのＤＦＴブロックから構成され、７シンボル毎に２つのスロットが定義されている。各スロットの中央に時間多重される２１、２２がＤＭＲＳであり、サブフレーム内に２つ、即ち各スロット内に１つ定義されている。
【００２２】
Ｒｅｌ−１１システムにおいてＤＭＲＳは、Ｚａｄｏｆｆ−Ｃｈｕ系列の系列グループ番号、系列グループホッピング、サイクリックシフトホッピングパターンの３つのパラメータから生成される。Ｚａｄｏｆｆ−Ｃｈｕ系列は、一定振幅かつ自己相関及び相互相関に優れた３０種の系列を選択可能であり、系列番号毎に周波数領域の複素振幅が異なる。系列グループホッピングは、スロット毎に異なる系列を選択する処理を表しており、どのようなパターンでＺａｄｏｆｆ−Ｃｈｕ系列を変更するかを決定することができる。なお、スロット毎に異なるＺａｄｏｆｆ−Ｃｈｕ系列とするか、同じＺａｄｏｆｆ−Ｃｈｕ系列とするかを選択することができる。また、サイクリックシフトとは、各スロットにおけるＺａｄｏｆｆ−Ｃｈｕ系列に、さらに周波数領域でサブキャリア毎に一定間隔の位相回転を与えることを表しており、８種類の位相回転量の中から１つを適用可能である。また、サイクリックシフトホッピングとは、各スロットのＺａｄｏｆｆ−Ｃｈｕ系列に対してスロット間で異なる位相回転量を与えることであり、これによってセル間干渉のランダム化を実現することができる。このサイクリックシフトホッピングを適用する際に第１のスロットと第２のスロットでそれぞれどのような位相回転量にするかを決定するパラメータをサイクリックシフトホッピングパラメータと定義している。
【００２３】
参照信号系列情報検出部１４では、入力される制御情報の中から｛ＮＩＤＢＳＩ、ΔＳＳＢＳＩ、ｃｉｎｉｔＣＳＨ｝という３つのパラメータを検出する。このパラメータを基に参照信号生成部１６で参照信号が生成される。まず、式（１）のようにＺａｄｏｆｆ−Ｃｈｕ系列番号ｕを設定する。
【００２４】
【数１】
0005815442.tif 000002
【００２５】
式（１）において、ｆｇｈ（ｎＳ）は式（２）で表される系列グループホッピングをするかどうかに応じて定義された式であり、以下で与えられる。
【００２６】
【数２】
0005815442.tif 000003
【００２７】
ただし、ｎＳはスロット番号（０か１）を表し、ｃ（ｘ）は、仕様書に開示されたＭ系列に基づく乱数生成器（ＴＳ３６．２１１  ｖ１０．４．０、第７．２節）を用いるものとし、その初期値の結線を表すｃｉｎｉｔは次式で決定される。
【００２８】
【数３】
0005815442.tif 000004
【００２９】
式（３）は、参照信号系列情報検出部１４から入力されたＮＩＤＢＳＩを使用していることが分かる。次に、式（１）におけるｆＳＳについて説明する。ｆＳＳは、式（４）のように制御チャネル（ＰＵＣＣＨ）か共有チャネル（ＰＵＳＣＨ）かにより異なる値で定義されている。
【００３０】
【数４】
0005815442.tif 000005
【００３１】
【数５】
0005815442.tif 000006
【００３２】
式（４）は制御チャネルの場合におけるｆＳＳというパラメータを表し、式（５）が、本実施例で対象とする共有チャネルのｆＳＳである。このように、式（２）と式（５）を用いてＺａｄｏｆｆ−Ｃｈｕ系列番号が決定され、これを決定するのにＮＩＤＢＳＩ、ΔＳＳＢＳＩが使用されていることが分かる。
【００３３】
次に、サイクリックシフトホッピングについて述べる。ｎＳ番目のスロットにおける隣接サブキャリア間の位相回転量を決定する位相の傾きは、式（６）で表される。
【００３４】
【数６】
0005815442.tif 000007
【００３５】
ただし、ｎＤＭＲＳ（１）は、上位レイヤで設定される値（ＴＳ３６．２１１  ｖ１０．４．０、表５．５．２．１．１−２で開示されている）、ｎＤＭＲＳ（１）は下りリンクの制御チャネルによって通知された値（ＴＳ３６．２１１  ｖ１０．４．０、表５．５．２．１．１−１で開示されている）、ｎＰＮ（ｎＳ）は式（７）で定義されるスロット間でサイクリックシフト量を変えるパラメータである。
【００３６】
【数７】
0005815442.tif 000008
【００３７】
ただし、ＮｓｙｍｂＵＬは１スロットに含まれるＤＦＴブロック数（本実施例では７）、ｃ（ｘ）は同様に仕様書に開示されたＭ系列に基づく乱数生成器（ＴＳ３６．２１１  ｖ１０．４．０、第７．２節）を用いるものとするが、その初期値はｃｉｎｉｔＣＳＨである。
【００３８】
このように、｛ＮＩＤＢＳＩ、ΔＳＳＢＳＩ、ｃｉｎｉｔＣＳＨ｝というパラメータを移動局固有の値として独立に設定することで系列番号とサイクリックシフトホッピングを独立に設定することができる。なお、Ｚａｄｏｆｆ−Ｃｈｕ系列番号を決定するパラメータがＮＩＤＢＳＩ、ΔＳＳＢＳＩであり、サイクリックシフトホッピングパターンを決定するパラメータがｃｉｎｉｔＣＳＨである。
【００３９】
次に、これら３つのパラメータをどのように移動局装置に通知するかについて説明する。図３に、基地局装置Ｂの構成例を示す。同図は、上位レイヤ（本明細書では、特に断りのない限りデータリンク層（レイヤ２）を制御し、ネットワーク層（レイヤ３）に属するＲＲＣ（Ｒａｄｉｏ Ｒｅｓｏｕｒｃｅ Ｃｏｎｔｒｏｌ）層を指すが、物理層（レイヤ１）より上位層（データリンク層、ネットワーク層に含まれるプロトコルを実現するレイヤ）であれば本明細書に記載の発明に含まれる。）で｛ＮＩＤＢＳＩ、ΔＳＳＢＳＩ、ｃｉｎｉｔＣＳＨ｝に関するパラメータセット（複数の｛ＮＩＤＢＳＩ、ΔＳＳＢＳＩ、ｃｉｎｉｔＣＳＨ｝の組）をパラメータセット設定部３１で予め指定しておき、下位の物理層でいずれか１つの組をパラメータセット選択部３２で選択する。ここで、物理層とは、物理的な無線チャネルを用いて通信を行うＯＳＩ（Open Systems Interconnection）基本参照モデルのレイヤ１に該当し、無線信号の送受信を行うレイヤである。このように選択されたパラメータセットの１つ（本明細書ではパラメータ群と定義する。）を制御情報生成部３３においてＤＣＩ（Ｄｏｗｎｌｉｎｋ  Ｃｏｎｔｒｏｌ  Ｉｎｆｏｒｍａｔｉｏｎ）などの下りの制御信号とし、無線部３４において制御信号を無線信号に変換し、アンテナ３５から移動局装置に送信する。ここで、本明細書でパラメータと称した場合には、パラメータ群のいずれか１つと定義する。
【００４０】
【表１】
0005815442.tif 000009
【００４１】
次に、具体的なＲＲＣでのパラメータセットの設定方法について述べる。表１に、ＲＲＣでの具体的なパラメータセットの例を示す。同表では、４種類のパラメータセットをＲＲＣで予め用意しており、２ビットで通知することができる。ここで、Ｉｎｄｅｘ３の｛Ｎｒ１０、Δｒ１０、ｃｒ１０｝は従来のＲｅｌ-１０までの参照信号の構成と同じものを含めており、このように設定することで、従来のＲｅｌ−１０の移動局装置がエリア内に存在したとしてもＤＭＲＳを直交させることができる。ここで、Ｒｅｌ−１０以前の移動局装置とは、各マクロ基地局あるいはＬＰＮの物理セルＩＤから自動的に決定される参照信号を適用する、即ちパラメータ群が通知されない移動局装置を指し、レガシーの移動局装置とも称される。そのため、基本的に本発明で対象とする移動局装置固有の参照信号を構成する場合とは系列が異なる。なお、ここでは全てのパラメータをレガシーの移動局装置と同じとなるよう設定したが、具体的にはどれか１つ、特に、サイクリックシフトパターンが同一となるパラメータｃｒ１０が同じであればレガシーの移動局装置が存在しても直交カバーコード（ＯＣＣ：Orthogonal Cover Code）と呼ばれる直交符号で直交化することが可能である。なお、ここではＲＲＣで構成されるパラメータセットが考えられ得る全ての組み合わせの中から予め制限されている例で示しているが、全ての組み合わせを可能としたい場合には、ＲＲＣでＮＩＤＢＳＩの各値に対する｛ΔＳＳＢＳＩ、ｃｉｎｉｔＣＳＨ｝を別々にパラメータセットとしてもよい。
【００４２】
例えば、ＮＩＤＢＳＩ＝０に関して取り得る｛ΔＳＳＢＳＩ、ｃｉｎｉｔＣＳＨ｝をＲＲＣで１つのパラメータセットとしておき、同様にＮＩＤＢＳＩ＝１，２，３，・・・といったようにそれらを基準に別々のパラメータセットとしておき、どのパラメータセットかをＲＲＣで通知し、その中から１つのパラメータ群を選択する構成にしてもよい。
【００４３】
【表２】
0005815442.tif 000010
【００４４】
また、協調するエリア、制御局装置で共通のパラメータ群をパラメータセットに含めるものを表２に示す。ここでは、Ｉｎｄｅｘ０に示される｛Ｎｃ、Δｃ、ｃｃ｝が本発明の特徴とする例であり、これは協調通信をする場合に複数の基地局で同じパラメータを設定する。これは、協調通信されるエリア内の全てのマクロ基地局、ＬＰＮ（送受信ポイントと称してもよい、本明細書では制御局装置と称する）で同じ系列番号、サイクリックシフトホッピングが適用できる例である。このように、ＲＲＣである程度のパラメータセットを構成しておき、いずれか１つを移動局装置に動的に通知することで、協調通信における適切な参照信号の構成が可能となり、協調通信によるスループットの利得が高まる。なお、ここでは物理層の制御チャネルとして動的に通知しているが、ＲＲＣのまま１つを選択して移動局に通知してもよい。
【００４５】
また、表１に示したようにレガシーの移動局装置と同じとなるパラメータをパラメータセットの中のいずれか１つに含むことで、レガシーの移動局装置との参照信号の直交化がＯＣＣにより可能となる。また、少なくとも協調通信をするエリア内で同一の参照信号系列を構成するパラメータをパラメータセットに含むことも本発明に含まれる。さらに、直交化のみを目的とするのであれば、ｃｉｎｉｔＣＳＨのみをレガシーの移動局装置または協調通信を行うエリアまたは協調する基地局間で同一にすることで実現できるため、このようなもの本発明に含まれる。また、ここでは４種類のパラメータセットの例を示したが、２種類のパラメータセットとし、一方をレガシーの移動局装置と同じになるよう設定すれば、Ｒｅｌ−１０以前の参照信号と移動局装置固有の参照信号を１ビットで切り替えることも本発明に含まれる。勿論、ΔＳＳＢＳＩは必ずしも移動局装置固有にする必要はなく、式（５）でΔＳＳＢＳＩ＝０としたものを使用してもよい。この場合任意の参照信号系列はＮＩＤＢＳのみで実現可能である。これを表３に示す。ここでは、レガシーの移動局装置と同じ系列番号の参照信号を生成する場合を示している。
【００４６】
【表３】
0005815442.tif 000011
【００４７】
［第２の実施形態］
第２の実施形態は、ヴァーチャルセルＩＤのみを使った例を示す。第１の実施形態との違いは、サイクリックシフトホッピングを決定する点である。具体的には、式（７）のサイクリックシフトホッピングの位相回転量を決定する際、ｃｉｎｉｔＣＳＨという移動局装置固有の初期値を使用したが、ここでは式（８）のように、ヴァーチャルセルＩＤから決定される。
【００４８】
【数８】
0005815442.tif 000012
【００４９】
【表４】
0005815442.tif 000013
【００５０】
したがって、｛ＮＩＤＢＳＩ、ΔＳＳＢＳＩ｝という２つのパラメータをＲＲＣで設定し、移動局装置にその中から１つを通知すればよい。表４に、具体的な例を示す。ここでは、Ｒｅｌ−１０以前の移動局装置と同一のサイクリックシフトホッピングを設定するためには、式（８）が同一である必要があるため、Ｒｅｌ−１０以前の移動局装置と同一のヴァーチャルセルＩＤを適用する。それが表４におけるＮｒ１０とΔｒ１０である。このように設定することで、Ｒｅｌ−１０以前の移動局装置が存在した場合でも協調通信のための参照信号の直交化が可能である。第１の実施形態と同様に、協調通信するエリア、もしくは協調通信をするマクロ基地局およびＬＰＮ間で同一のパラメータを設定できるようパラメータセットを定義し、その中から１つを動的に移動局装置に通知する。ＲＲＣである程度のパラメータセットを構成しておき、いずれか１つを移動局装置に動的に通知することで、協調通信における適切な参照信号の構成が可能となり、協調通信によるスループットの利得が高まる。
【００５１】
また、上述した各実施形態における移動局装置及び制御局装置各々の一部、または全部の機能を実現するためのプログラムをコンピュータ読み取り可能な記録媒体に記録して、この記録媒体に記録されたプログラムをコンピュータシステムに読み込ませ、実行することにより移動局装置および基地局装置を実現してもよい。なお、ここでいう「コンピュータシステム」とは、ＯＳや周辺機器等のハードウェアを含むものとする。
【００５２】
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含むものとする。また上記プログラムは、前述した機能の一部を実現するためのものであっても良く、さらに前述した機能をコンピュータシステムにすでに記録されているプログラムとの組み合わせで実現できるものであっても良い。
【００５３】
また、上述した各実施形態における移動局装置Ａおよび基地局装置Ｂ各々の一部、または全部を典型的には集積回路であるＬＳＩとして実現してもよい。移動局装置Ａおよび基地局装置Ｂの各機能ブロックは個別にチップ化してもよいし、一部、または全部を集積してチップ化してもよい。一部をチップ化し、一部をソフトウェアで実現しても良い。
【００５４】
また、集積回路化の手法はＬＳＩに限らず専用回路、または汎用プロセッサで実現しても良い。また、半導体技術の進歩によりＬＳＩに代替する集積回路化の技術が出現した場合、当該技術による集積回路を用いることも可能である。
【００５５】
以上、この発明の実施形態について図面を参照して詳述してきたが、具体的な構成はこの実施形態に限られるものではなく、この発明の要旨を逸脱しない範囲の設計変更等も含まれる。
【産業上の利用可能性】
【００５６】
本発明は、携帯電話装置を移動局装置とする移動体通信システムに用いて好適であるが、これに限定されない。
【符号の説明】
【００５７】
Ａ…移動局装置、１…符号部、２…変調部、３…ＤＦＴ部、４…参照信号多重部、５…周波数割当部、６…ＩＦＦＴ部、７…ＣＰ挿入部、８…無線部、９…アンテナ、１０…アンテナ、１１…無線部、１２…制御情報検出部、１３…割当情報検出部、１４…参照信号系列情報検出部、１５…ＭＣＳ情報検出部、１６…参照信号生成部、Ｂ…基地局装置、３１…パラメータセット設定部、３２…パラメータセット選択部、３３…制御信号生成部、３４…無線部、３５…アンテナ。
【図１】
0005815442.tif 000014
【図２】
0005815442.tif 000015
【図３】
0005815442.tif 000016